【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
複合部品層の少なくとも一部分を形成するために複合テープコースを規定するコンピュータで実現される方法であって、
外形をつけられた表面を基準面に近似するステップと、
層の境界を前記外形をつけられた表面から前記基準面の基準層境界へとマッピングするステップと、
テープ境界を前記外形をつけられた表面から前記基準面の基準テープ境界へとマッピングするステップと、
前記基準層境界と前記基準テープ境界との基準交点に少なくとも部分的に基づいてテープエッジを規定するステップとを含む、コンピュータで実現される方法。
【請求項２】
前記外形をつけられた表面を近似するために三次元の基準表面を選択するステップと、
第１の点を前記外形をつけられた表面から前記基準表面上の第１の中間点に相関させるために第１の関数を規定するステップと、
前記基準表面を近似するために前記基準面を選択するステップと、
前記第１の中間点を前記基準面の基準点に相関させるために第２の関数を規定するステップとをさらに含む、請求項１に記載のコンピュータで実現される方法。
【請求項３】
前記外形をつけられた表面上の前記第１の点を前記基準面の前記基準点に相関させるために前記第１の関数および前記第２の関数に基づいて基準関数を規定するステップをさらに含む、請求項２に記載のコンピュータで実現される方法。
【請求項４】
前記第１の関数は前記基準表面上で連続的であるように規定され、前記第２の関数は前記基準面の１つまたは複数のボーダーを除いて前記基準面上で連続的であるように規定される、請求項２または３に記載のコンピュータで実現される方法。
【請求項５】
前記第１の関数を規定するステップは、
内挿された点を規定するために少なくとも前記外形をつけられた表面上の第２の点と前記外形をつけられた表面上の第３の点との間で内挿するステップと、
前記第２の関数を使用して、前記内挿された点を前記基準表面上の第２の中間点に相関させるステップとをさらに含み、前記外形をつけられた表面は前記第２の点と前記第３の
点との間では規定されない、請求項４に記載のコンピュータで実現される方法。
【請求項６】
前記第１の関数を規定するステップは前記外形をつけられた表面と前記基準表面との間で１対１の対応を確立するステップを含む、請求項２から５のいずれか一項に記載のコンピュータで実現される方法。
【請求項７】
前記第１の関数を規定するステップは前記第１の点を明確にするステップをさらに含み、前記第１の関数はさもなければ少なくとも前記外形をつけられた表面上の第２の点および前記外形をつけられた表面上の第３の点を前記第１の中間点に相関させる、請求項６に記載のコンピュータで実現される方法。
【請求項８】
前記第１の点を明確にするステップは前記第２の点および前記第３の点に少なくとも部分的に基づいて加重平均を計算するステップを含む、請求項７に記載のコンピュータで実現される方法。
【請求項９】
前記基準点を前記第１の中間点に相関させるために前記第１の関数に基づいて第１の逆関数を規定するステップと、
前記第１の中間点を前記外形をつけられた表面上の前記第１の点に相関させるために前記第２の関数に基づいて第２の逆関数を規定するステップをさらに含む、請求項２から８のいずれか一項に記載のコンピュータで実現される方法。
【請求項１０】
前記基準面の前記基準点を前記外形をつけられた表面上の前記第１の点に相関させるために前記第１の逆関数および前記第２の逆関数に基づいて逆基準関数を規定するステップをさらに含む、請求項９に記載のコンピュータで実現される方法。
【請求項１１】
前記基準表面は少なくとも１つのパラメトリック表面を含む、請求項２から１０のいずれか一項に記載のコンピュータで実現される方法。
【請求項１２】
前記パラメトリック表面は、円柱、球、半球、円錐、多面体、トーラス、回転楕円体、楕円、放物面、双曲面、掃引表面および一般的なスプライン表面から選択された少なくとも１つを含む、請求項１１に記載のコンピュータで実現される方法。
【請求項１３】
前記基準面の第１の対応するボーダー上の第１の基準境界点を前記基準面の第２の対応するボーダー上の第２の基準境界点に接続する仮想曲線を規定するステップをさらに含み、前記第１および第２の対応するボーダーは共に前記基準表面上のシームに相関し、前記第１および第２の基準境界点は共に前記シーム上の単一の中間境界点に相関する、請求項２から１２のいずれか一項に記載のコンピュータで実現される方法。
【請求項１４】
前記仮想曲線を識別するために前記仮想曲線にフラグを立てるステップと、
対応する基準境界を描くときに前記仮想曲線を無視するステップとをさらに含む、請求項１３に記載のコンピュータで実現される方法。
【請求項１５】
前記仮想曲線を識別するために前記仮想曲線にフラグを立てるステップと、
前記基準面で対応する基準境界と線との交点についてテストするときに前記仮想曲線を無視するステップをさらに含む、請求項１３または１４に記載のコンピュータで実現される方法。
【請求項１６】
前記基準層境界と前記基準テープ境界との交点の位置を決定するステップをさらに含む、請求項１から１５のいずれか一項に記載のコンピュータで実現される方法。
【請求項１７】
前記規定されたテープエッジに少なくとも部分的に基づいてテープ切断を規定するステップをさらに含む、請求項１から１６のいずれか一項に記載のコンピュータで実現される方法。
【請求項１８】
前記規定されたテープエッジに少なくとも部分的に基づいて複合材料適用ヘッド作動位置を規定するステップをさらに含む、請求項１から１７のいずれか一項に記載のコンピュータで実現される方法。
【請求項１９】
前記基準面内の基準点から予め定められた方向で光線を投じるステップをさらに含み、前記予め定められた方向は、前記光線が前記基準表面上のシームに相関しない前記基準面の本当のボーダーに交差するようにし、前記方法はさらに、
前記基準面で前記光線と閉じた曲線との交点の数を定量化するステップと、
前記交点の数に基づいて前記基準点が前記閉じた曲線内に含まれるかどうかを判定するステップとを含む、請求項１から１８のいずれか一項に記載のコンピュータで実現される方法。
【請求項２０】
予め定められたオペレーションを行なうためにプロセッサによって実行されるように構成された命令でコード化されたコンピュータ読取可能媒体を含む、複合部品層の少なくとも一部分を形成するために複合テープコースを規定するためのコンピュータプログラムプロダクトであって、
外形をつけられた表面を基準面に近似するステップと、
層の境界を前記外形をつけられた表面から前記基準面の基準層境界へとマッピングするステップと、
テープ境界を前記外形をつけられた表面から前記基準面の基準テープ境界へとマッピングするステップと、
前記基準層境界と前記基準テープ境界との基準交点に少なくとも部分的に基づいてテープエッジを規定するステップとを含む、コンピュータプログラムプロダクト。
【請求項２１】
前記予め定められたオペレーションは、
請求項１から２０のいずれかに記載のステップのいずれかをさらに含む、請求項２０に記載のコンピュータプログラムプロダクト。
【請求項２２】
複合部品層の少なくとも一部分を形成するために複合テープコースを規定するためのテープコース生成機であって、
外形をつけられた表面を基準表面に近似し、層の境界を前記外形をつけられた表面から前記基準表面上の中間層境界へとマッピングし、かつテープ境界を前記外形をつけられた表面から前記基準表面上の中間テープ境界へとマッピングするように構成される基準表面パラメータ化機と、
前記基準表面を前記基準面に近似し、前記中間層境界を前記基準面の基準層境界へとマッピングし、かつ前記中間テープ境界を前記基準面の基準テープ境界へとマッピングするように構成される基準面インスタンス化機と、
前記基準層境界と前記基準テープ境界との基準交点に少なくとも部分的に基づいてテープエッジを規定するように構成されるテープコースデリミタとを含む、テープコース生成機。